(57)【特許請求の範囲】
【請求項１】
定着ローラと加圧ローラとを有する定着手段と、装置本体に枢支されて開閉可能に構成され、開放時にジャム処理を行う為に前記定着手段の定着ローラと加圧ローラとを外部に開放可能なドアと、前記定着手段の定着ローラへ駆動を伝えるアイドルギヤとを備えた画像形成装置において、
前記ドアの開放時に前記定着手段に回動可能に設けたレバーが一方向に回動し、該レバーと一端部で係合するとともに、他端部で前記アイドルギヤを回転可能に取り付けた揺動ブラケットと係合するリンクを介して前記ブラケットをアイドルギヤが前記定着ローラのフランジに固定された定着ギヤから離間する方向に揺動付勢する第１付勢部材と、
前記ドアの閉鎖時に前記レバーが前記ドアによって第１付勢部材の付勢力に抗して他方向に回動し、前記リンクを介して前記ブラケットを前記アイドルギヤが前記定着ローラの定着ギヤと噛合する方向に揺動付勢する第２付勢部材を備え、前記第１付勢部材の前記ドアの開放時の前記アイドルギヤに対する付勢力が、第２付勢部材の付勢力よりも強いことを特徴とする画像形成装置。
【発明の詳細な説明】
【０００１】
【産業上の利用分野】
この発明は、ＰＰＣ、プリンタ、ＦＡＸ等の画像形成装置に関する。
【０００２】
【従来の技術】
前記のような画像形成装置において、最近のパーソナルコンピュータの急速な普及によりプリンタベースの造りが主流となりつつある。これは図１に示すように、略垂直方向パス方式、すなわち、図１に示すように、装置本体１の高さ方向において、画像読形成部２を中にして下方に給紙部３が、上方に排紙部４が設けられて略垂直方向に延びるシート搬送パス６が形成され、装置本体１には下端が枢支されて鎖線で示す閉鎖位置と、実鎖で示す開放位置との間を開閉可能となっているドア５が設けられている。
【０００３】
そして給紙部３の給紙トレイ７から給紙コロ群８によって供給されたシートＳは、シート搬送パス６に位置する搬送コロによってレジストローラ対９に送られる。そして、図示しないスキャナやパーソナルコンピュータからの画像データに対応して、書き込みユニット11によって感光体ドラム12上に作像されたトナー像とタイミングを合わせられてレジストローラ対９より転写部13へ搬送され、トナー像を転写される。未定着トナー像を載せたシートＳは定着ローラ17と加圧ローラ18とを有する定着部14へと搬送され、定着後排紙部４へ搬送されて装置上面16に排紙されてスタックされる。なお定着部14は装置本体１に着脱可能に係止されている。
【０００４】
このような画像形成装置は、従来の複写機ベースの画像形成装置に比べて搬送パスが非常に短く、さらに装置側面を開放するだけで搬送パスの大半を開放することができるため、給紙から排紙までの出力時間が短く、シート搬送性が良好である。
【０００５】
ところでこのようなものにおいて、シートのジャムが発生した場合、一般には装置本体１のドア５を開放し、被駆動ギヤと共に回転する定着ローラ17を回してジャム紙の除去を行うこととなるが、被駆動ギヤが他のギヤと噛合状態にあると、回転トルクが大きいため、ドア５の開放時にこの被駆動ギヤの噛合を解除する必要がある。そこでこのような被駆動ギヤの噛合解除のための駆動解除装置として、特開平7-140857号公報に開示されているようなものが提案され、この駆動解除装置は、被駆動ギヤへのギヤ系列の一部を構成するギヤ用のブラケットにワイヤを引っ掛けて、ドアを開放したときドア側でワイヤを引張って、駆動を解除する機構を設けたものである。
【０００６】
【発明が解決しようとする課題】
しかし、このような駆動解除装置では、搬送経路側の装置側面に紙搬送系、作像系の各部品が集中して、ワイヤ等の駆動解除機構部品を配置するスペースを十分に確保することができず、また、ワイヤを配回しても側面カバーと駆動解除部の距離が近い為にワイヤの曲率が小さくなり、駆動解除動作に伴うワイヤ移動時の摩擦抵抗が高くなって、駆動解除動作が円滑に行われにくいという問題がある。
【０００７】
そこでこの発明の目的は、前記のような従来の画像形成装置における問題を解消し、駆動解除機構部品を配置するスペースを十分に確保することができ、また機構部品の小型化、低コスト化を図ることもでき、さらに駆動解除動作が円滑に行われる画像形成装置を提供するにある。
【０００８】
【課題を解決するための手段】
前記のような目的を達成するために、この発明は、定着ローラと加圧ローラとを有する定着手段と、装置本体に枢支されて開閉可能に構成され、開放時にジャム処理を行う為に前記定着手段の定着ローラと加圧ローラとを外部に開放可能なドアと、前記定着手段の定着ローラへ駆動を伝えるアイドルギヤとを備えた画像形成装置において、前記ドアの開放時に前記定着手段に回動可能に設けたレバーが一方向に回動し、該レバーと一端部で係合するとともに、他端部で前記アイドルギヤを回転可能に取り付けた揺動ブラケットと係合するリンクを介して前記ブラケットをアイドルギヤが前記定着ローラのフランジに固定された定着ギヤから離間する方向に揺動付勢する第１付勢部材と、前記ドアの閉鎖時に前記レバーが前記ドアによって第１付勢部材の付勢力に抗して他方向に回動し、前記リンクを介して前記ブラケットを前記アイドルギヤが前記定着ローラの定着ギヤと噛合する方向に揺動付勢する第２付勢部材を備え、前記第１付勢部材の前記ドアの開放時の前記アイドルギヤに対する付勢力が、第２付勢部材の付勢力よりも強いことを特徴とする。
【００１０】
【発明の実施の形態】
図面に示すこの発明の実施形態において、前記従来のものと同様の部分には、同一の符号を付して説明を省略し、主として異なる部分について説明する。
【００１１】
この実施形態において、装置本体１に開閉可能に取付けられたドア５に一体的に突部24を設け、定着部14に図２に示すように軸20を取付け、この軸20にレバー26を回動可能に取付けるとともに、第１付勢部材を構成するトーションばね22を巻装してレバー26を時計方向に付勢し、レバー26の自由端部には２又部が設けられ、この２又部で挟持されている突起25を有し、図２の矢印方向に往復移動可能なリンク21を設けていて、その左端にはストッパ27が形成されている。そして定着ローラ17のフランジに定着ギヤ23が固定されている。
【００１２】
一方、装置本体１に軸28を取付け、この軸28にブラケット29を揺動可能に取付け、またこの軸28にギヤ31を回転可能に取付け、ブラケット29に取付けられた軸35にギヤ31と噛合するアイドルギヤ33を回転可能に取付ける。そして装置本体１に板ばね34の一端を取付け、他端をブラケット29の左側に係合して、ブラケット29を右方向に加圧し、アイドルギヤ33を定着ギヤ23と噛合するように付勢している。第２付勢部材を構成する板ばね34の加圧力は、トーションばね22より弱く設定されているため、装置本体１に定着部14をセットしただけでは、ギヤ23，33は噛合しないようになっている。
【００１３】
このようなものにおいて、ドア５が鎖線に示す閉鎖位置にある場合には、ドア５の突部24がレバー26を１本矢印に示す反時計方向に回動し、レバー26が２又部がリンク21の突起25を挟んで、リンク21を１本矢印に示すように実線位置から右方向に移動して鎖線位置に変位し、リンク21のストッパ27に係合板30が係合していたブラケット29は、板ばね34に加圧されて１本矢印に示すように反時計方向に回転して、図３に鎖線で示すように、アイドルギヤ33が定着ギヤ23と噛合する。この時ブラッケット29の端部は、図４に示すように定着ギヤ23の隣に配置された軸受36の外輪に突き当たり、それ以上定着ギヤ23に近くならないで両ギヤ23，33間の軸間距離は固定される。
【００１４】
このような状態において画像形成が行われた際、定着部14の定着ローラ17と加圧ローラ18との間で、シートのジャムが生じた場合、一般に定着ロ―ラ17を回してジャム紙を除去するが、定着ローラ17の駆動ギヤ系が噛合した状態にあると、定着ローラ17の回転トルクが大きくて、ジャムしたシートを除去することができない。そこで駆動ギヤ系のギヤの噛合を解除することとなる。
【００１５】
この時アイドルギヤ33と定着ギヤ23との噛合を解除するには、ドア５を図２，３で実線に示すように、ドア５を開放してその突部24によるレバー26の押圧を解除する。これによってトーションばね22の加圧力によって、レバー26を２本矢印に示すように時計方向に回動して実線位置に変位し、その２又部がリンク21の突部24を挟んでリンク21を２本矢印に示すように左方向へ移動する。このようにリンク21が左方向へ移動すると、リンク21のストッパ27も左方向に移動し、このストッパ27に係合していたブラケット29は、板ばね34の加圧力に抗して２本矢印に示すように時計方向に回転して、図２，３に実線で示すようにアイドルギヤ33を定着ギヤ23から離間して両ローラを解除する。この解除によって両ローラ17，18の回転トルクのみでジャムシートを引き抜くことができる。
【００１６】
【発明の効果】
前記のように、この発明によれば、定着ローラと加圧ローラとを有する定着手段と、装置本体に枢支されて開閉可能に構成され、開放時にジャム処理を行う為に前記定着手段の定着ローラと加圧ローラとを外部に開放可能なドアと、前記定着手段の定着ローラへ駆動を伝えるアイドルギヤとを備えた画像形成装置において、前記ドアの開放時に前記定着手段に回動可能に設けたレバーが一方向に回動し、該レバーと一端部で係合するとともに、他端部で前記アイドルギヤを回転可能に取り付けた揺動ブラケットと係合するリンクを介して前記ブラケットをアイドルギヤが前記定着ローラのフランジに固定された定着ギヤから離間する方向に揺動付勢する第１付勢部材と、前記ドアの閉鎖時に前記レバーが前記ドアによって第１付勢部材の付勢力に抗して他方向に回動し、前記リンクを介して前記ブラケットを前記アイドルギヤが前記定着ローラの定着ギヤと噛合する方向に揺動付勢する第２付勢部材を備え、前記第１付勢部材の前記ドアの開放時の前記アイドルギヤに対する付勢力が、第２付勢部材の付勢力よりも強いので、駆動解除機構部品を配置するスペースを十分に確保することができ、また機構部品の小型、低コスト化を図ることができ、さらに駆動解除動作が円滑に行なわれるという効果がある。
【図面の簡単な説明】
【図１】この発明が適用される画像形成装置の概略正面図である。
【図２】この発明の実施形態のドア開口時の要部の正面図である。
【図３】同上の平面図である。
【図４】同上のドア閉鎖時の要部の正面図である。
【符号の説明】
１  装置本体                    ２  画像読形成部
３  給紙部                      ４  排紙部
５  ドア                        ６  シート搬送パス
７  給紙トレイ                  ８  給紙コロ群
９  レジストローラ対            11  書き込みユニット
12  感光体ドラム                13  転写部
14  定着部                      16  装置上面
17  定着ローラ                  18  加圧ローラ
20  軸                          21  リンク
22  トーションばね              23  定着ギヤ
24  突部                        25  突起
26  レバー                      27  ストッパ
28  軸                          29  ブラケット
30  係合板                      31  ギヤ
32  ブラケット                  33  アイドルギヤ
34  板ばね                      35  軸
36  軸受
【図１】
0004205251.tif 000002
【図２】
0004205251.tif 000003
【図３】
0004205251.tif 000004
【図４】
0004205251.tif 000005